(57)【要約】【課題】比較的低い解像度で読み取られた画像に色のにじみが発生するのを抑制することができる画像読取装置を提供する。【解決手段】第１の読取モード及び第２の読取モードのいずれかに切り替えられ、第１の読取モードでは、第１の読取ライン毎に赤色、緑色及び青色の画像データを第１の読取時間ずつ順に１回読み取り、第２の読取モードでは、第２の読取ライン毎に赤色、緑色及び青色の画像データを第２の読取時間ずつ順に少なくとも２回繰り返し読み取る読取部２２と、第１の読取モードでは、第１の読取ライン毎に１回ずつ読み取られた赤色、緑色及び青色の画像データに基づいてカラー画像データを生成し、第２の読取モードでは、第２の読取ライン毎に少なくとも２回ずつ読み取られた赤色、緑色及び青色の画像データに基づいてカラー画像データを生成する制御部３２と、を備える。【選択図】図７Ａ
2015088839.tif 000002
【特許請求の範囲】
【請求項１】
原稿の画像を読み取る画像読取装置であって、
第１の解像度に対応する第１の読取ライン毎に前記画像を読み取る第１の読取モード及び前記第１の解像度よりも低い第２の解像度に対応する第２の読取ライン毎に前記画像を読み取る第２の読取モードのいずれかに切り替えられ、前記第１の読取モードでは、前記第１の読取ライン毎に赤色、緑色及び青色の画像データを第１の読取時間ずつ順に１回読み取り、前記第２の読取モードでは、前記第２の読取ライン毎に前記赤色、緑色及び青色の画像データを前記第１の読取時間よりも短い第２の読取時間ずつ順に少なくとも２回繰り返し読み取る読取部と、
前記第１の読取モード及び前記第２の読取モードのいずれかで前記画像を読み取るように前記読取部に指示し、前記第１の読取モードでは、前記第１の読取ライン毎に１回ずつ読み取られた前記赤色、緑色及び青色の画像データに基づいてカラー画像データを生成し、前記第２の読取モードでは、前記第２の読取ライン毎に少なくとも２回ずつ読み取られた前記赤色、緑色及び青色の画像データに基づいて前記カラー画像データを生成する制御部と、を備える
画像読取装置。
【請求項２】
前記読取部は、前記第２の読取モードでは、前記第２の読取ライン毎に前記赤色、緑色及び青色の画像データを前記第２の読取時間ずつ順に２回繰り返し読み取り、
前記制御部は、前記第２の読取モードでは、前記第２の読取ライン毎に２回ずつ読み取られた前記赤色、緑色及び青色の画像データを色毎に加算することにより前記カラー画像データを生成する
請求項１に記載の画像読取装置。
【請求項３】
前記読取部が前記第２の読取モードにおいて前記赤色、緑色及び青色の画像データの各々を読み取る際の読取光量は、前記読取部が前記第１の読取モードにおいて前記赤色、緑色及び青色の画像データの各々を読み取る際の読取光量の半分である
請求項２に記載の画像読取装置。
【発明の詳細な説明】
【技術分野】
【０００１】
本発明は、画像を読み取るための画像読取装置に関する。
【背景技術】
【０００２】
画像を読み取るための画像読取装置として、例えばカラーイメージスキャナが知られている（例えば、特許文献１参照）。このカラーイメージスキャナは、赤色ＬＥＤ（Ｌｉｇｈｔ  Ｅｍｉｔｔｉｎｇ  Ｄｉｏｄｅ）、緑色ＬＥＤ及び青色ＬＥＤを有する光源と、複数の受光素子が主走査方向にライン状に配置されたラインイメージセンサと、を備えている。
【０００３】
上述したカラーイメージスキャナによる画像の読み取りは、次のようにして行われる。光源は、原稿に向けて赤色、緑色及び青色の光をこの順に繰り返し出射する。ラインイメージセンサは、原稿に対して上記主走査方向と直交する副走査方向に相対的に移動しながら、原稿で反射された赤色、緑色及び青色の光をこの順に繰り返し受光することにより、１読取ライン毎に赤色、緑色及び青色の画像データをこの順に読み取る。なお、赤色、緑色及び青色の画像データはそれぞれ、例えば０〜２５５（００〜ＦＦ）の８ビットで表される値のデータである。このように１読取ライン毎に読み取られた赤色、緑色及び青色の画像データに基づいて、カラー画像データが生成される。
【先行技術文献】
【特許文献】
【０００４】
【特許文献１】特開２０００−３５８１３９号公報
【発明の概要】
【発明が解決しようとする課題】
【０００５】
上述した従来の画像読取装置では、次のような課題が生じる。比較的低い解像度（例えば、７５ｄｐｉ程度）で画像を読み取る際には、ラインイメージセンサの移動速度が比較的速くなる。そのため、複数の読取ラインの各々において、赤色、緑色及び青色の画像データをそれぞれ読み取る位置が大きくずれるようになる。その結果、読み取られた画像上の異なる色の境界部分等に色のにじみが発生するおそれがあるという課題が生じる。
【０００６】
ここで、図８Ａ及び図８Ｂを参照しながら、上述した課題について具体的に説明する。図８Ａ及び図８Ｂはそれぞれ、従来の画像処理装置において、１読取ライン分の画像（画素）について読み取られた赤色（Ｒ）、緑色（Ｇ）及び青色（Ｂ）の画像データを示す図である。図８Ａ及び図８Ｂに示すように、ラインイメージセンサが副走査方向に移動しながら１読取ライン分の画像１００，１０６を読み取る際に、当該画像１００，１０６の色が白色から赤色に変化する場合について説明する。
【０００７】
図８Ａに示す例では、１読取ライン分の画像１００のうち白色の画像部分１０２の大きさ（副走査方向における大きさ）が赤色の画像部分１０４の大きさよりも小さい。ラインイメージセンサが白色の画像部分１０２上を移動するタイミングで、光源からの赤色の光が白色の画像部分１０２を照射する。このとき、ラインイメージセンサは、白色の画像部分１０２で反射した赤色の光を受光することにより、赤色の画像データとして「ＦＦ」を読み取る。その後、ラインイメージセンサが赤色の画像部分１０４上を移動するタイミングで、光源からの緑色及び青色の光が赤色の画像部分１０４をこの順に照射する。このとき、緑色及び青色の光はそれぞれ赤色の画像部分１０４を反射しないので、ラインイメージセンサは、緑色の画像データとして「００」を読み取った後に、青色の画像データとして「００」を読み取る。その結果、生成されたカラー画像データの画像の色は赤色になり、原稿上の画像１００の色合いに近い色合いになる。
【０００８】
一方、図８Ｂに示す例では、１読取ライン分の画像１０６のうち白色の画像部分１０８の大きさが赤色の画像部分１１０の大きさよりも大きい。この場合、ラインイメージセンサが白色の画像部分１０８上を移動するタイミングで、光源からの赤色及び緑色の光が白色の画像部分１０８をこの順に照射する。このとき、ラインイメージセンサは、白色の画像部分１０８で反射した赤色及び緑色の光をこの順に受光することにより、赤色の画像データとして「ＦＦ」を読み取った後に、緑色の画像データとして「ＦＦ」を読み取る。その後、ラインイメージセンサが赤色の画像部分１１０上を移動するタイミングで、光源からの青色の光が赤色の画像部分１１０を照射する。このとき、青色の光は赤色の画像部分１１０を反射しないので、ラインイメージセンサは、青色の画像データとして「００」を読み取る。その結果、生成されたカラー画像データの画像の色は黄色になり、原稿上の画像１０６の色合いと大きく異なる色合いになってしまう。このことが上述した色のにじみの原因となる。
【０００９】
以上説明したように、画像上の異なる色の境界部分等を読み取る際に、赤色、緑色及び青色の画像データをそれぞれ読み取るタイミングによっては、上述した色のにじみが発生するおそれがある。
【００１０】
本発明は、上述した課題を解決しようとするものであり、その目的は、比較的低い解像度で読み取られた画像に色のにじみが発生するのを抑制することができる画像読取装置を提供することである。
【課題を解決するための手段】
【００１１】
上記目的を達成するために、本発明の一態様に係る画像読取装置は、原稿の画像を読み取る画像読取装置であって、第１の解像度に対応する第１の読取ライン毎に前記画像を読み取る第１の読取モード及び前記第１の解像度よりも低い第２の解像度に対応する第２の読取ライン毎に前記画像を読み取る第２の読取モードのいずれかに切り替えられ、前記第１の読取モードでは、前記第１の読取ライン毎に赤色、緑色及び青色の画像データを第１の読取時間ずつ順に１回読み取り、前記第２の読取モードでは、前記第２の読取ライン毎に前記赤色、緑色及び青色の画像データを前記第１の読取時間よりも短い第２の読取時間ずつ順に少なくとも２回繰り返し読み取る読取部と、前記第１の読取モード及び前記第２の読取モードのいずれかで前記画像を読み取るように前記読取部に指示し、前記第１の読取モードでは、前記第１の読取ライン毎に１回ずつ読み取られた前記赤色、緑色及び青色の画像データに基づいてカラー画像データを生成し、前記第２の読取モードでは、前記第２の読取ライン毎に少なくとも２回ずつ読み取られた前記赤色、緑色及び青色の画像データに基づいて前記カラー画像データを生成する制御部と、を備える。
【００１２】
本態様によれば、第２の読取モードでは、読取部は、第２の読取ライン毎に、赤色、緑色及び青色の画像データを順に少なくとも２回繰り返し読み取る。制御部は、少なくとも２回繰り返し読み取られた赤色、緑色及び青色の画像データに基づいて、カラー画像データを生成する。これにより、第２の読取ライン毎に赤色、緑色及び青色の画像データをそれぞれ少なくとも２個所で読み取ることによって赤色、緑色及び青色の画像データを平均化することができる。その結果、赤色、緑色及び青色の画像データをそれぞれ読み取る位置がずれることに起因する色のにじみの発生を抑制することができる。さらに、第２の読取モードにおいて赤色、緑色及び青色の画像データの各々を読み取る第２の読取時間は、第１の読取モードにおいて赤色、緑色及び青色の画像データの各々を読み取る第１の読取時間よりも短い。これにより、第２の読取モードにおいて画像全体を読み取るのに要する時間を比較的短く保つことができる。
【００１３】
例えば、本発明の一態様に係る画像読取装置において、前記読取部は、前記第２の読取モードでは、前記第２の読取ライン毎に前記赤色、緑色及び青色の画像データを前記第２の読取時間ずつ順に２回繰り返し読み取り、前記制御部は、前記第２の読取モードでは、前記第２の読取ライン毎に２回ずつ読み取られた前記赤色、緑色及び青色の画像データを色毎に加算することにより前記カラー画像データを生成するように構成してもよい。
【００１４】
本態様によれば、第２の読取モードにおいて、制御部は、比較的簡単な演算方法でカラー画像データを生成することができる。
【００１５】
例えば、本発明の一態様に係る画像読取装置において、前記読取部が前記第２の読取モードにおいて前記赤色、緑色及び青色の画像データの各々を読み取る際の読取光量は、前記読取部が前記第１の読取モードにおいて前記赤色、緑色及び青色の画像データの各々を読み取る際の読取光量の半分であるように構成してもよい。
【００１６】
本態様によれば、第２の読取モードにおける読取光量は、第１の読取モードにおける読取光量の半分である。これにより、第２の読取モードにおいて第２の読取ライン毎に２回ずつ読み取られた赤色、緑色及び青色の画像データを色毎に加算することにより、加算して得られた赤色、緑色及び青色の画像データの仮想的な読取光量を、第１の読取モードにおける読取光量と同じ読取光量にすることができる。
【００１７】
なお、本発明は、このような特徴的な処理部を備える画像読取装置として実現することができるだけでなく、画像読取装置に含まれる特徴的な処理部が実行する処理をステップとする制御方法として実現することができる。また、画像読取装置に含まれる特徴的な処理部としてコンピュータを機能させるためのプログラム又は制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００１８】
本発明の一態様に係る画像読取装置によれば、比較的低い解像度で読み取られた画像に色のにじみが発生するのを抑制することができる。
【図面の簡単な説明】
【００１９】
【図１】実施の形態に係る画像読取装置の構成を模式的に示す図である。
【図２】制御部の機能的構成を示すブロック図である。
【図３】ラインイメージセンサにより画像が読み取られる様子を模式的に示す図である。
【図４】第１の読取モード及び第２の読取モードの各々における原稿上の複数の読取ラインを示す図である。
【図５】第１の読取モードにおける画像の読み取りの流れを示すフローチャートである。
【図６】第２の読取モードにおける画像の読み取りの流れを示すフローチャートである。
【図７Ａ】第２の読取モードにおいて、１読取ライン分の画像について読み取られた赤色、緑色及び青色の画像データを示す図である。
【図７Ｂ】第２の読取モードにおいて、１読取ライン分の画像について読み取られた赤色、緑色及び青色の画像データを示す図である。
【図８Ａ】従来の画像処理装置において、１読取ライン分の画像について読み取られた赤色、緑色及び青色の画像データを示す図である。
【図８Ｂ】従来の画像処理装置において、１読取ライン分の画像について読み取られた赤色、緑色及び青色の画像データを示す図である。
【発明を実施するための形態】
【００２０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２１】
（実施の形態）
［画像読取装置の概略構成］
まず、図１を参照しながら、本実施の形態に係る画像読取装置の概略構成について説明する。図１は、実施の形態に係る画像読取装置の構成を模式的に示す図である。
【００２２】
図１に示すように、本実施の形態の画像読取装置２は、例えば、ＣＩＳ（Ｃｏｎｔａｃｔ  Ｉｍａｇｅ  Ｓｅｎｓｏｒ）方式でカラーの画像６ａを読み取ることが可能なフラットベッド型のカラーイメージスキャナである。
【００２３】
画像読取装置２は、筐体４を備えている。筐体４の上面には、例えば印刷文書、写真又は書籍等の原稿６を載置するためのプラテンガラス８が設けられている。プラテンガラス８は、透明なガラス板で構成されている。原稿６の片面には、カラーの画像６ａが形成されている。原稿６は、読み取るべき画像６ａが形成された面が筐体４の内部を向くようにして、プラテンガラス８に載置される。
【００２４】
筐体４の上面には、さらに、カバー１０が設けられている。カバー１０は、プラテンガラス８を覆う閉位置と、プラテンガラス８を開放する開位置（図１参照）との間を回転可能である。カバー１０が閉位置にあるときには、プラテンガラス８がカバー１０によって覆われることにより、筐体４の内部への外光の入射が遮断される。
【００２５】
筐体４の上面には、さらに、操作部１２が設けられている。操作部１２は、例えばタッチパネル又は押しボタン等で構成されている。操作部１２は、ユーザによる操作、例えば、画像６ａの読み取りを開始する旨の指示又は読取モード（後述する）を切り替える旨の指示等を受け付ける。
【００２６】
筐体４の側面には、インターフェース部１４が設けられている。インターフェース部１４は、画像読取装置２と外部のパーソナルコンピュータ等（図示せず）とを相互に接続するための通信アダプタである。
【００２７】
筐体４の内部には、キャリッジ１６、モータ１８及びモータ駆動部２０が配置されている。
【００２８】
モータ１８は、例えばステッピングモータで構成されている。モータ１８は、キャリッジ１６を副走査方向（図１におけるＸ軸方向）に原稿６に対して相対的に往復移動させる。
【００２９】
モータ駆動部２０は、制御部３２（後述する）からのクロック信号（モータ駆動信号Ｃ１）に基づいて、モータ１８をステップ駆動する。これにより、モータ１８は、このクロック信号に基づく速度で、原稿６に対して相対的に往復移動する。
【００３０】
キャリッジ１６には、プラテンガラス８に載置された原稿６の画像６ａを読み取るための読取部２２が搭載されている。読取部２２は、光源２４、ロッドレンズアレイ２６及びラインイメージセンサ２８を有している。
【００３１】
光源２４は、導光体（図示せず）と、導光体の一端部に対向して配置された赤色ＬＥＤ、緑色ＬＥＤ及び青色ＬＥＤ（いずれも図示せず）と、を有している。導光体は、上記副走査方向と直交する主走査方向（図１におけるＹ軸方向）に延びており、赤色ＬＥＤからの赤色の光、緑色ＬＥＤからの緑色の光及び青色ＬＥＤからの青色の光をそれぞれプラテンガラス８に載置された原稿６に向けて導く。赤色ＬＥＤ、緑色ＬＥＤ及び青色ＬＥＤは、制御部３２からのクロック信号（点灯制御信号Ｃ２）に基づく周波数で、この順に繰り返し点灯する。これにより、光源２４は、プラテンガラス８に載置された原稿６に向けて、赤色の光、緑色の光及び青色の光をこの順に繰り返し出射する。
【００３２】
ロッドレンズアレイ２６は、原稿６で反射した赤色の光、緑色の光及び青色の光をラインイメージセンサ２８の複数の受光素子３０（後述する）の各々に結像させる。
【００３３】
ラインイメージセンサ２８は、例えばＣＭＯＳイメージセンサで構成されている。ラインイメージセンサ２８は、主走査方向に一列に配置された複数の受光素子３０を有している。複数の受光素子３０はそれぞれ、原稿６上の１読取ライン（後述する）で反射した光を受光することにより、受光した光の光量（強度）に応じた電荷を蓄積する。複数の受光素子３０の各々に蓄積された電荷は、制御部３２からのクロック信号（読取信号Ｃ３）に基づくタイミングで、電気信号（アナログの画像データ）に変換された後に制御部３２に出力される。なお、ラインイメージセンサ２８により読み取られるアナログの画像データは、後述するように、赤色（Ｒ）の画像データ、緑色（Ｇ）の画像データ及び青色（Ｂ）の画像データである。
【００３４】
筐体４の内部には、さらに、制御部３２が設けられている。制御部３２は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等（いずれも図示せず）を有している。ＲＯＭには、画像読取装置２を制御するための制御プログラムが格納されている。ＣＰＵは、ＲＯＭに格納された制御プログラムを実行することにより、画像読取装置２を統括的に制御する。ＲＡＭは、ＣＰＵで実行される各種の処理の一時記憶領域（作業領域）として利用される。制御部３２の機能的構成については後述する。
【００３５】
［制御部の機能的構成］
次に、図２を参照しながら、上述した制御部３２の機能的構成について説明する。図２は、制御部の機能的構成を示すブロック図である。
【００３６】
制御部３２は、Ａ／Ｄ変換部３４、画像処理部３６、記憶部３８、モード切替部４０及びクロック信号生成部４２を有している。
【００３７】
Ａ／Ｄ変換部３４は、ラインイメージセンサ２８から出力されたアナログの画像データをデジタルの画像データに変換する。
【００３８】
画像処理部３６は、Ａ／Ｄ変換部３４から出力された画像データに対して、例えばシェーディング補正及びガンマ補正等の各種の補正処理を施す。なお、画像処理部３６により補正処理が施された画像データは、０〜２５５（００〜ＦＦ）の８ビットで表される値のデータである。画像処理部３６は、補正処理を施した画像データに基づいて、例えばＪＰＥＧ形式又はＴＩＦＦ形式等の所定形式のカラー画像データを生成する。なお、カラー画像データとは、画像６ａに含まれる複数の画素毎に生成される画像データである。
【００３９】
記憶部３８は、画像処理部３６により生成されたカラー画像データを記憶するためのメモリである。記憶部３８に記憶されたカラー画像データは、インターフェース部１４を介して外部のパーソナルコンピュータ等（図示せず）に所定の順で送信される。
【００４０】
モード切替部４０は、ユーザによる操作部１２の操作に基づいて、読取モードの切り替えを実行するように読取部２２に指示する。なお、モード切替部４０による読取モードの切り替えの指示は、クロック信号生成部４２からのクロック信号（読取信号Ｃ３）が読取部２２に出力されることにより行われる。読取部２２が実行する読取モードとしては、第１の解像度（例えば、６００ｄｐｉ）で画像６ａを読み取る第１の読取モードと、第１の解像度よりも低い第２の解像度（例えば、７５ｄｐｉ）で画像６ａを読み取る第２の読取モードとがある。
【００４１】
第１の読取モードは、例えば、読み取った画像６ａを外部のパーソナルコンピュータ（図示せず）に高画質の画像として保存する際に用いられる、高解像度の読取モードである。第２の読取モードは、例えば、読み取った画像６ａを外部のモニタ（図示せず）にプレビュー表示する際に用いられる、低解像度の読取モードである。本実施の形態の画像読取装置２では、第２の読取モードにおける画像６ａの読取方法に特徴がある。第１の読取モード及び第２の読取モードの各々における画像６ａの読み取りの流れについては後述する。
【００４２】
クロック信号生成部４２は、モード切替部４０からの指示に基づいて、予め定められた周波数のクロック信号を複数種類生成する。具体的には、クロック信号生成部４２は、クロック信号として、モータ駆動信号Ｃ１、点灯制御信号Ｃ２及び読取信号Ｃ３を生成する。モータ駆動信号Ｃ１は、キャリッジ１６の移動速度を制御するための信号であり、モータ駆動部２０に出力される。点灯制御信号Ｃ２は、光源２４の点灯周波数を制御するための信号であり、光源２４を点灯させるための光源駆動部（図示せず）に出力される。読取信号Ｃ３は、複数の受光素子３０の各々からの電気信号を制御部３２に出力するタイミングを規定するための信号であり、ラインイメージセンサ２８に出力される。
【００４３】
［第１の読取モードにおける画像の読み取りの流れ］
次に、図３、図４の（ａ）及び図５を参照しながら、第１の読取モードにおける画像６ａの読み取りの流れについて説明する。図３は、ラインイメージセンサにより画像が読み取られる様子を模式的に示す図である。図４の（ａ）は、第１の読取モードにおける原稿上の複数の読取ラインを示す図である。図５は、第１の読取モードにおける画像の読み取りの流れを示すフローチャートである。
【００４４】
例えばユーザが操作部１２を操作することにより、モード切替部４０は、第１の読取モードへの切り替えを実行するように読取部２２に指示する。これにより、図３に示すように、モータ駆動部２０がモータ１８をステップ駆動することによって、キャリッジ１６に搭載された読取部２２が副走査方向に移動し始める。このとき、画像６ａを比較的高い解像度で読み取るので、読取部２２の移動速度は比較的遅くなる。そのため、図４の（ａ）に示すように、原稿６上の複数の読取ラインの各々（複数の読取ラインの各々は第１の読取ラインを構成する）の副走査方向における大きさ（幅）は、比較的小さくなる。
【００４５】
なお、読取ラインとは、赤色の画像データ、緑色の画像データ及び青色の画像データをそれぞれ読み取る単位となるラインである。図４に示すように、複数の読取ラインは、原稿６上に副走査方向に連続して配置されている。さらに、複数の読取ラインの各々は、主走査方向に延び、且つ、副走査方向に所定の大きさ（幅）を有している。
【００４６】
第１の読取モードでは、ラインイメージセンサ２８は、１読取ライン毎に、赤色の画像データ、緑色の画像データ及び青色の画像データをこの順に１回ずつ読み取る。以下、図５を参照しながら、ラインイメージセンサ２８が１ライン目の読取ラインから順に、１読取ライン毎に赤色の画像データ、緑色の画像データ及び青色の画像データをそれぞれ読み取る場合について説明する。読取部２２が１ライン目の読取ライン上を移動（走査）する際に、光源２４からの赤色の光、緑色の光及び青色の光がこの順に１ライン目の読取ラインを照射する。
【００４７】
赤色の光が１ライン目の読取ラインを照射するタイミングで、ラインイメージセンサ２８の複数の受光素子３０の各々は、１ライン目の読取ラインで反射した赤色の光を受光することにより、受光した光の光量に応じた電荷を蓄積する。複数の受光素子３０の各々に蓄積された電荷は、赤色の画像データに変換された後に制御部３２に出力される。このようにして、ラインイメージセンサ２８は、赤色の画像データを読み取る（Ｓ１１）。
【００４８】
その後、緑色の光が１ライン目の読取ラインを照射するタイミングで、ラインイメージセンサ２８の複数の受光素子３０の各々は、１ライン目の読取ラインで反射した緑色の光を受光することにより、受光した光の光量に応じた電荷を蓄積する。複数の受光素子３０の各々に蓄積された電荷は、緑色の画像データに変換された後に制御部３２に出力される。このようにして、ラインイメージセンサ２８は、緑色の画像データを読み取る（Ｓ１２）。
【００４９】
その後、青色の光が１ライン目の読取ラインを照射するタイミングで、ラインイメージセンサ２８の複数の受光素子３０の各々は、１ライン目の読取ラインで反射した青色の光を受光することにより、受光した光の光量に応じた電荷を蓄積する。複数の受光素子３０の各々に蓄積された電荷は、青色の画像データに変換された後に制御部３２に出力される。このようにして、ラインイメージセンサ２８は、青色の画像データを読み取る（Ｓ１３）。
【００５０】
なお、第１の読取モードでは、ラインイメージセンサ２８は、赤色、緑色及び青色の画像データをそれぞれ第１の読取時間（例えば、約１．５ｍｓｅｃ）で読み取る。第１の読取時間とは、複数の受光素子３０の各々に電荷が蓄積され始めてから、この電荷に対応する画像データが制御部３２に出力されるまでの時間である。
【００５１】
ラインイメージセンサ２８により読み取られた赤色、緑色及び青色の画像データはそれぞれ、Ａ／Ｄ変換部３４によってアナログからデジタルに変換された後に、画像処理部３６によって各種の補正処理が施される（Ｓ１４）。その後、画像処理部３６は、補正処理が施された赤色、緑色及び青色の画像データに基づいて、カラー画像データを生成する（Ｓ１５）。
【００５２】
２ライン目以降の読取ラインについても同様に（Ｓ１６でＮＯ）、ラインイメージセンサ２８は、１読取ライン毎に、赤色の画像データ、緑色の画像データ及び青色の画像データをこの順に１回ずつ読み取る。ラインイメージセンサ２８が全ての読取ラインについて赤色の画像データ、緑色の画像データ及び青色の画像データを読み取った際には（Ｓ１６でＹＥＳ）、画像６ａの読み取りが終了する。
【００５３】
［第２の読取モードにおける画像の読み取りの流れ］
次に、図４の（ｂ）及び図６を参照しながら、第２の読取モードにおける画像６ａの読み取りの流れについて説明する。図４の（ｂ）は、第２の読取モードにおける原稿上の複数の読取ラインを示す図である。図６は、第２の読取モードにおける画像の読み取りの流れを示すフローチャートである。
【００５４】
例えばユーザが操作部１２を操作することにより、モード切替部４０は、第２の読取モードへの切り替えを実行するように読取部２２に指示する。これにより、上述した第１の読取モードと同様に、キャリッジ１６に搭載された読取部２２が副走査方向に移動し始める。このとき、画像６ａを比較的低い解像度で読み取るので、読取部２２の移動速度は比較的速くなる。そのため、図４の（ｂ）に示すように、複数の読取ラインの各々（複数の読取ラインの各々は第２の読取ラインを構成する）の副走査方向における大きさ（幅）は、比較的大きくなる。
【００５５】
第２の読取モードでは、ラインイメージセンサ２８は、１読取ライン毎に、赤色の画像データ、緑色の画像データ及び青色の画像データをこの順に２回繰り返し読み取る。以下、図６を参照しながら、ラインイメージセンサ２８が１ライン目の読取ラインから順に、１読取ライン毎に赤色の画像データ、緑色の画像データ及び青色の画像データをそれぞれ読み取る場合について説明する。ラインイメージセンサ２８が１ライン目の読取ライン上を移動する際には、光源２４からの赤色の光、緑色の光及び青色の光がこの順に１ライン目の読取ラインを２回繰り返し照射する。
【００５６】
赤色の光が１ライン目の読取ラインを照射するタイミングで、ラインイメージセンサ２８の複数の受光素子３０の各々は、１ライン目の読取ラインで反射した赤色の光を受光することにより、受光した光の光量に応じた電荷を蓄積する。複数の受光素子３０の各々に蓄積された電荷は、赤色の画像データに変換された後に制御部３２に出力される。このようにして、ラインイメージセンサ２８は、赤色の画像データを読み取る（Ｓ２１）。
【００５７】
その後、緑色の光が１ライン目の読取ラインを照射するタイミングで、ラインイメージセンサ２８の複数の受光素子３０の各々は、１ライン目の読取ラインで反射した緑色の光を受光することにより、受光した光の光量に応じた電荷を蓄積する。複数の受光素子３０の各々に蓄積された電荷は、緑色の画像データに変換された後に制御部３２に出力される。このようにして、ラインイメージセンサ２８は、緑色の画像データを読み取る（Ｓ２２）。
【００５８】
その後、青色の光が１ライン目の読取ラインを照射するタイミングで、ラインイメージセンサ２８の複数の受光素子３０の各々は、１ライン目の読取ラインで反射した青色の光を受光することにより、受光した光の光量に応じた電荷を蓄積する。複数の受光素子３０の各々に蓄積された電荷は、青色の画像データに変換された後に制御部３２に出力される。このようにして、ラインイメージセンサ２８は、青色の画像データを読み取る（Ｓ２３）。
【００５９】
なお、第２の読取モードでは、ラインイメージセンサ２８は、赤色、緑色及び青色の画像データをそれぞれ第２の読取時間（例えば、約０．７５ｍｓｅｃ）で読み取る。第２の読取時間は、上記第１の読取時間よりも短い時間であり、例えば、上記第１の読取時間の半分の時間である。
【００６０】
ラインイメージセンサ２８により読み取られた赤色、緑色及び青色の画像データはそれぞれ、Ａ／Ｄ変換部３４によってアナログからデジタルに変換された後に、画像処理部３６によって各種の補正処理が施される（Ｓ２４）。
【００６１】
その後、ラインイメージセンサ２８が１ライン目の読取ラインにおいて赤色の画像データ、緑色の画像データ及び青色の画像データをこの順に２回繰り返し読み取っていない場合には（Ｓ２５でＮＯ）、ラインイメージセンサ２８は、上述と同様にして赤色の画像データ、緑色の画像データ及び青色の画像データをこの順に再度読み取る（Ｓ２１，Ｓ２２，Ｓ２３）。さらにその後、上述と同様にして、ラインイメージセンサ２８により２回目に読み取られた赤色、緑色及び青色の画像データはそれぞれ、アナログからデジタルに変換された後に各種の補正処理が施される（Ｓ２４）。
【００６２】
その後、ラインイメージセンサ２８が１ライン目の読取ラインにおいて赤色の画像データ、緑色の画像データ及び青色の画像データをこの順に２回繰り返し読み取った場合には（Ｓ２５でＹＥＳ）、画像処理部３６は、２回繰り返し読み取られた赤色、緑色及び青色の画像データを色毎に加算する（Ｓ２６）。これにより、画像処理部３６は、加算して得られた赤色、緑色及び青色の画像データに基づいて、カラー画像データを生成する（Ｓ２７）。
【００６３】
２ライン目以降の読取ラインについても同様に（Ｓ２８でＮＯ）、ラインイメージセンサ２８は、１読取ライン毎に、赤色の画像データ、緑色の画像データ及び青色の画像データをこの順に２回繰り返し読み取る。ラインイメージセンサ２８が全ての読取ラインについて赤色の画像データ、緑色の画像データ及び青色の画像データを読み取った際には（Ｓ２８でＹＥＳ）、画像６ａの読み取りが終了する。
【００６４】
［第２の読取モードにおける画像の読取方法の具体例］
ここで、図７Ａ及び図７Ｂを参照しながら、第２の読取モードにおいて画像６ａを読み取る方法の具体例について説明する。図７Ａ及び図７Ｂはそれぞれ、第２の読取モードにおいて、１読取ライン分の画像について読み取られた赤色、緑色及び青色の画像データを示す図である。
【００６５】
図７Ａ及び図７Ｂに示すように、ラインイメージセンサ２８が副走査方向に移動（走査）しながら１読取ライン分の画像４４，５０（画素）を読み取る際に、画像４４，５０の色が白色から赤色に変化する場合について説明する。なお、この画像４４，５０は、例えば、図３において一点鎖線の枠Ｐで囲まれた領域で示すように、画像６ａ上の異なる色の境界部分における画像である。
【００６６】
図７Ａに示す例では、１読取ライン分の画像４４のうち白色の画像部分４６の大きさ（副走査方向における大きさ）が赤色の画像部分４８の大きさよりも小さい。ラインイメージセンサ２８が白色の画像部分４６上を移動するタイミングで、光源２４からの赤色の光及び緑色の光が白色の画像部分４６をこの順に照射する。このとき、ラインイメージセンサ２８は、白色の画像部分４６で反射した赤色の光及び緑色の光をこの順に受光することにより、赤色（Ｒ１）の画像データとして「７Ｆ」を読み取った後に、緑色（Ｇ１）の画像データとして「７Ｆ」を読み取る。
【００６７】
なお、上述したように、第２の読取モードにおいて赤色、緑色及び青色の画像データの各々を読み取る第２の読取時間は、第１の読取モードにおいて赤色、緑色及び青色の画像データの各々を読み取る第１の読取時間の半分の時間である。そのため、ラインイメージセンサ２８が第２の読取モードにおいて赤色、緑色及び青色の画像データの各々を読み取る際の読取光量は、ラインイメージセンサ２８が第１の読取モードにおいて赤色、緑色及び青色の画像データの各々を読み取る際の読取光量の半分となる。その結果、上述のように第２の読取モードにおいて読み取られた赤色（Ｒ１）の画像データ「７Ｆ」及び緑色（Ｇ１）の画像データ「７Ｆ」はそれぞれ、第１の読取モードにおいて読み取られる赤色の画像データ「ＦＦ」及び緑色の画像データ「ＦＦ」の半分の値となる。
【００６８】
その後、ラインイメージセンサ２８が赤色の画像部分４８上を移動するタイミングで、光源２４からの青色の光が赤色の画像部分４８を照射する。このとき、青色の光は赤色の画像部分４８で反射しないので、ラインイメージセンサ２８は、青色（Ｂ１）の画像データとして「００」を読み取る。
【００６９】
さらにその後、ラインイメージセンサ２８が赤色の画像部分４８上を移動するタイミングで、光源２４からの赤色の光及び緑色の光が赤色の画像部分４８をこの順に照射する。このとき、ラインイメージセンサ２８は、赤色の画像部分４８で反射した赤色の光を受光することにより、赤色（Ｒ２）の画像データとして「７Ｆ」を読み取る。
【００７０】
その後、ラインイメージセンサ２８が赤色の画像部分４８上を移動するタイミングで、光源２４からの緑色及び青色の光が赤色の画像部分４８をこの順に照射する。このとき、緑色及び青色の光はそれぞれ赤色の画像部分４８で反射しないので、ラインイメージセンサ２８は、緑色（Ｇ２）の画像データとして「００」を読み取った後に、青色（Ｂ２）の画像データとして「００」を読み取る。
【００７１】
以上のようにして、ラインイメージセンサ２８は、１読取ライン分の画像４４について、赤色、緑色及び青色の画像データをこの順に２回繰り返し読み取る。画像処理部３６は、２回繰り返し読み取られた赤色、緑色及び青色の画像データを色毎に加算する。具体的には、画像処理部３６は、１回目に読み取られた赤色（Ｒ１）の画像データ「７Ｆ」と２回目に読み取られた赤色（Ｒ２）の画像データ「７Ｆ」とを加算することにより、赤色（Ｒ）の画像データ「ＦＥ」を取得する。同様に、画像処理部３６は、１回目に読み取られた緑色（Ｇ１）の画像データ「７Ｆ」と２回目に読み取られた緑色（Ｇ２）の画像データ「００」とを加算することにより、緑色（Ｇ）の画像データ「７Ｆ」を取得する。さらに、画像処理部３６は、１回目に読み取られた青色（Ｂ１）の画像データ「００」と２回目に読み取られた青色（Ｂ２）の画像データ「００」とを加算することにより、青色（Ｂ）の画像データ「００」を取得する。
【００７２】
画像処理部３６は、上述のようにして取得した赤色（Ｒ）、緑色（Ｇ）及び青色（Ｂ）の画像データに基づいて、カラー画像データを生成する。その結果、生成されたカラー画像データの色は橙色になり、原稿６上の画像４４の色合いに近い色合いになる。
【００７３】
なお、上述したように、第２の読取モードにおける読取光量は、第１の読取モードにおける読取光量の半分である。これにより、第２の読取モードにおいて１読取ライン毎に２回ずつ読み取られた赤色、緑色及び青色の画像データを色毎に加算することにより、加算して得られた赤色、緑色及び青色の画像データの仮想的な読取光量を、第１の読取モードにおける読取光量と同じ読取光量にすることができる。
【００７４】
一方、図７Ｂに示す例では、１読取ライン分の画像５０のうち白色の画像部分５２の大きさが赤色の画像部分５４の大きさよりも小さい。ラインイメージセンサ２８が白色の画像部分５２上を移動するタイミングで、光源２４からの赤色の光、緑色の光、青色の光及び赤色の光が白色の画像部分５２をこの順に照射する。このとき、ラインイメージセンサ２８は、白色の画像部分４６で反射した赤色の光、緑色の光、青色の光及び赤色の光をこの順に受光することにより、赤色（Ｒ１）の画像データ、緑色（Ｇ１）の画像データ、青色（Ｂ１）の画像データ及び赤色（Ｒ２）の画像データとしてそれぞれ「７Ｆ」をこの順に読み取る。
【００７５】
その後、ラインイメージセンサ２８が赤色の画像部分５４上を移動するタイミングで、光源２４からの緑色の光及び青色の光が赤色の画像部分５４をこの順に照射する。このとき、緑色の光及び青色の光はそれぞれ赤色の画像部分５４で反射しないので、ラインイメージセンサ２８は、緑色（Ｇ２）の画像データとして「００」を読み取った後に、青色（Ｂ２）の画像データとして「００」を読み取る。
【００７６】
以上のようにして、ラインイメージセンサ２８は、１読取ライン分の画像５０について、赤色、緑色及び青色の画像データをこの順に２回繰り返し読み取る。画像処理部３６は、上述と同様にして、２回繰り返し読み取られた赤色、緑色及び青色の画像データを色毎に加算する。具体的には、画像処理部３６は、１回目に読み取られた赤色（Ｒ１）の画像データ「７Ｆ」と２回目に読み取られた赤色（Ｒ２）の画像データ「７Ｆ」とを加算することにより、赤色（Ｒ）の画像データ「ＦＥ」を取得する。同様に、画像処理部３６は、１回目に読み取られた緑色（Ｇ１）の画像データ「７Ｆ」と２回目に読み取られた緑色（Ｇ２）の画像データ「００」とを加算することにより、緑色（Ｇ）の画像データ「７Ｆ」を取得する。さらに、画像処理部３６は、１回目に読み取られた青色（Ｂ１）の画像データ「７Ｆ」と２回目に読み取られた青色（Ｂ２）の画像データ「００」とを加算することにより、青色（Ｂ）の画像データ「７Ｆ」を取得する。
【００７７】
画像処理部３６は、上述のようにして取得した赤色（Ｒ）、緑色（Ｇ）及び青色（Ｂ）の画像データに基づいて、カラー画像データを生成する。その結果、生成されたカラー画像データの色は桃色になり、原稿６上の画像５０の色合いに近い色合いになる。
【００７８】
［効果］
次に、本実施の形態の画像読取装置２により得られる効果について説明する。上述したように、第２の読取モードでは、ラインイメージセンサ２８は、１読取ライン毎に、赤色、緑色及び青色の画像データをこの順に２回繰り返し読み取る。さらに、画像処理部３６は、２回繰り返し読み取られた赤色、緑色及び青色の画像データを色毎に加算することにより、カラー画像データを生成する。これにより、１読取ライン毎に赤色、緑色及び青色の画像データをそれぞれ少なくとも２個所で読み取ることによって、赤色、緑色及び青色の画像データをそれぞれ平均化して読み取ることができる。その結果、赤色、緑色及び青色の画像データをそれぞれ読み取る位置がずれることに起因する色のにじみの発生を抑制することができる。
【００７９】
さらに、第２の読取モードにおいて赤色、緑色及び青色の画像データの各々を読み取る第２の読取時間は、第１の読取モードにおいて赤色、緑色及び青色の画像データの各々を読み取る第１の読取時間の半分の時間である。これにより、第２の読取モードにおいて画像６ａ全体を読み取るのに要する時間（すなわち、ラインイメージセンサ２８が原稿６の一端から他端まで移動するのに要する時間）を比較的短くすることができる。その結果、例えば、第２の読取モードで読み取った画像６ａを外部のモニタ等に比較的短時間でプレビュー表示することができ、比較的短時間で画像６ａ全体を読み取ることができるという第２の読取モードのメリットを損なうことが無い。
【００８０】
以上、本発明の実施の形態に係る画像読取装置について説明したが、本発明は、上記実施の形態に限定されるものではない。
【００８１】
上記実施の形態では、画像読取装置をフラットベッド型のカラーイメージスキャナで構成したが、これに限定されず、例えばシートフィード型のカラーイメージスキャナで構成することもできる。
【００８２】
上記実施の形態では、第２の読取モードにおいて読取部が１読取ライン毎に赤色、緑色及び青色の画像データを２回繰り返し読み取るように構成したが、これに限定されず、３回以上繰り返し読み取るように構成することもできる。この場合、画像処理部は、例えば、３回以上繰り返し読み取った赤色、緑色及び青色の画像データを色毎に重み付けした後に加算することにより、カラー画像データを生成する。
【００８３】
上記実施の形態では、第１の読取モードにおいて読取部が１読取ライン毎に赤色、緑色及び青色の画像データをこの順に読み取るように構成したが、赤色、緑色及び青色の画像データを読み取る順序はこれに限定されない。例えば、１読取ライン毎に青色、緑色及び赤色の画像データをこの順に読み取るように構成することもできる。
【００８４】
上記実施の形態では、第２の読取モードにおいて読取部が１読取ライン毎に赤色、緑色及び青色の画像データをこの順に２回繰り返し読み取るように構成したが、赤色、緑色及び青色の画像データを読み取る順序はこれに限定されない。例えば、１読取ライン毎に青色、緑色及び赤色の画像データをこの順に２回繰り返し読み取るように構成することもできる。
【００８５】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００８６】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００８７】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【００８８】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【００８９】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【００９０】
また、本発明は、上記コンピュータプログラム又は上記デジタル信号を、電気通信回線、無線又は有線通信回線、インターネットを代表とするネットワーク、データ放送等を経由して伝送するものとしてもよい。
【００９１】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【００９２】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【産業上の利用可能性】
【００９３】
本発明の画像読取装置は、例えばカラーイメージスキャナ等として適用することができる。
【符号の説明】
【００９４】
２  画像読取装置
４  筐体
６  原稿
６ａ，４４，５０，１００，１０６  画像
８  プラテンガラス
１０  カバー
１２  操作部
１４  インターフェース部
１６  キャリッジ
１８  モータ
２０  モータ駆動部
２２  読取部
２４  光源
２６  ロッドレンズアレイ
２８  ラインイメージセンサ
３０  受光素子
３２  制御部
３４  Ａ／Ｄ変換部
３６  画像処理部
３８  記憶部
４０  モード切替部
４２  クロック信号生成部
４６，５２，１０２，１０８  白色の画像部分
４８，５４，１０４，１１０  赤色の画像部分
【図１】
2015088839.tif 000003
【図２】
2015088839.tif 000004
【図３】
2015088839.tif 000005
【図４】
2015088839.tif 000006
【図５】
2015088839.tif 000007
【図６】
2015088839.tif 000008
【図７Ａ】
2015088839.tif 000009
【図７Ｂ】
2015088839.tif 000010
【図８Ａ】
2015088839.tif 000011
【図８Ｂ】
2015088839.tif 000012